(57)【要約】【課題】ゴルフクラブを握るときにフィット感と操作性の両者を生かす【解決手段】本発明は、一端に孔部を有し、他端に底壁を有して、使用の時にゴルフクラブのシャフトが前記孔部に挿入し装着されるゴルフクラブ用グリップにおいて、前記グリップの円周状の内壁には、グリップの軸方向に沿って、片手とほぼ同じ長さのバックラインが前記底壁から膨出し形成されることを特徴とするものを提供する。【選択図】図１
2007185252.tif 000002
【特許請求の範囲】
【請求項１】
一端に孔部を有し、他端に底壁を有して、使用の時にゴルフクラブのシャフトが前記孔部に挿入し装着されるゴルフクラブ用グリップにおいて、
前記グリップの内壁の円周状には、前記シャフトの軸方向に沿って、片手とほぼ同じ長さのバックラインが前記底壁から膨出し形成されていることを特徴とするゴルフクラブ用グリップ。
【請求項２】
前記バックラインには、
前記グリップの内側に向かって凸部が１つ以上に膨出し形成されることを特徴とする請求項１記載のゴルフクラブ用グリップ。
【請求項３】
前記凸部が一定間隔で前記３〜６個形成されていることを特徴とする請求項２記載のゴルフクラブ用グリップ。
【請求項４】
前記シャフトの軸方向と直交する平面では、
前記バックラインから延びて、前記グリップの内表面に沿って凸条部が１つ以上に膨出し形成されることを特徴とする請求項１記載のゴルフクラブ用グリップ。
【発明の詳細な説明】
【技術分野】
【０００１】
本発明は、ゴルフクラブ用グリップに関するものであり、特に、ゴルフクラブを握るときにフィット感と操作性の両者を生かすためのゴルフクラブ用グリップに関するものである。
【背景技術】
【０００２】
ゴルフクラブ用グリップは、クラブとプレーヤとをつなぐ重要な役割を果たし、特にストレス時などでは、グリップを手の中で微妙に回転させ且つ位置決めすることにより、クラブヘッドのフェースの向きが調整される。
【０００３】
従来から、このようなフェースの向きの調整を容易とするため、グリップには膨出した部分を設けることがある。この膨出した部分の設置し方としては、直接グリップの外側表面にリブを設けるものと、グリップの裏側にバックラインを形成するものがある。
【０００４】
例えば、実願平１０−１０４４９号公報にはグリップの外側表面に凸起部を形成するグリップが開示されている（図９参照）。図５には当該公報に記載されたグリップの上端面の要部平面図を、図６にはグリップの長手方向の要部断面図をそれぞれ示している。これらの図には、符号１００はゴルフクラブ用グリップ、符号１００ａはこのグリップの外側に形成する凸起部、符号１０１はこのグリップに装着されたシャフトである。図５・６のように、当該ゴルフクラブ用グリップの外側表面に凸起部１００ａが一直線状に形成されている。ゴルフクラブをスイングするとき、この凸起部１００aに左手の親指と人差し指でできる手の平のくぼみ部を当接させて把持する。これにより、スイングがシンプルになり、球筋の安定が図られ、飛び距離を延ばすことやスコアの安定を図るのに効果がある（特許文献１）。
【０００５】
また、バックラインの形成されたゴルフクラブ用グリップが考えだされた。図７にはシャフトに装着する前の市販品のグリップ２００の軸方向に沿った断面図を、図８（ａ）にはそのＤ−Ｄ断面を、同図（ｂ）にはそれをシャフトに装着したときの断面図をそれぞれ示している。これらの図には、符号２００はゴルフクラブ用グリップ、符号２０１はこのグリップに装着されたシャフトである。図７・８のように、グリップ２００は、一端側にシャフト２０１が挿入されるシャフト挿入用の孔部２００ｃを有する略筒状をなす一体成型品が主流である。この孔部２００ｃは、図８（ａ）に示す如く軸方向と直交する横断面図において、円形をなす円周面部２００ｂと、グリップとほぼ同じ長さの平坦面部（バックライン）２００ａで囲まれ、他方横断面の外輪郭がほぼ円形をなすことから、前記平坦面部２００ａは、円周面部２００ｂに比べ肉厚が大となる。このグリップは、シャフトに装着されたとき、図８（ｂ）のように、シャフトの作用により、平坦面部２００ａは外側に膨出され、前記した実願平１０−１０４４９の凸起部と同じ役目を果たす。
【特許文献１】実願平１０−１０４４９号公報
【発明の開示】
【発明が解決しようとする課題】
【０００６】
ところが、現在のゴルフクラブ用グリップは、握りやすい、またきれいな見た目のために、外側表面にレーザー加工による小さい穴がある場合が多い。
【０００７】
実願平１０−１０４４９号公報に記載されたゴルフクラブ用グリップのように、グリップの外側表面に凸起部が設けられる場合、レーザーによる穴加工が非常に難しい。
【０００８】
また、前述したバックライン付きの市販品のグリップのように、バックラインの長さがほぼグリップと同じため、開いて使うウェッジに入っていると、いずれか一方の手（右ききの人は右手）がバックライン部に当たっているので邪魔になることがある。
【０００９】
本発明は以上のような実状に鑑み案出なされたもので、グリップの外側表面に凸を設けなくとも、スイングがスムーズにできると共に、ウェッジに入ってもバックラインが邪魔にならないゴルフクラブ用グリップを提供することを目的としている。
【課題を解決するための手段】
【００１０】
本発明のゴルフクラブ用グリップは、一端に孔部を有し、他端に底壁を有して、使用の時にゴルフクラブのシャフトが当該孔部に挿入し装着されるゴルフクラブ用グリップにおいて、当該グリップの内壁の円周状には、シャフトの軸方向に沿って、片手とほぼ同じ長さのバックラインが底壁から膨出し形成されている。
【発明の効果】
【００１１】
以上のように本発明のグリップは、シャフトに装着されると、バックラインは外側に膨出し、グリップの外側表面にリブを形成する。指がこのリブに引っ掛かり、スウィング中にクラブが手の中で回りにくくなるという効果が得られる。また、バックラインの長さが片手とほぼ同じなので、開いて使うウェッジに入っても邪魔にならないという効果が得られる。
【発明を実施するための最良の形態】
【００１２】
（実施例１）
図１（ａ）には本発明の実施例１における、シャフトに装着される前のゴルフクラブ用グリップ１０の軸方向に沿った断面図を、同図（ｂ）にはそのＡ−Ａ断面図を、同図（ｃ）にはグリップ１０をシャフト１１に装着したときの断面図をそれぞれ示している。
【００１３】
図１（ａ）、（ｃ）のように、グリップ１０は全体テーパー状になっていて、図１（ｂ）に示すように、一端側にシャフト１１が挿入されるシャフト挿入用の孔部１０ｃを有し、その他端側に、底壁から孔部１０ｃに向けてバックラインＬ１が形成される。即ち、グリップ１０の裏側の構成において、円周部１０ｂと円周部１０ｂから内側へ膨出する平坦面部１０ａからなる。この平坦面部１０ａの寸法は、円周部１０ｂから膨出する高さＨ１は例えば０．５ｍｍ〜２ｍｍ、底壁からの長さＬ１（バックライン）はほぼ片手と同じで例えば８０ｍｍ〜１２０ｍｍとしてよい、幅は３ｍ〜８ｍ程度がよい。また、前記した寸法は、例示したものに過ぎなく、製品又はプレーヤによって変更できることは無論である。また、バックラインとして、平坦面部が例示されたが、他の形状も良い。
【００１４】
図１（ｃ）のように、このグリップはシャフト１１に装着された後、シャフト１１の作用により、平坦面部１０ａ（バックライン部）は外側に膨出し、グリップの外側表面にリブを形成する。ゴルフクラブを使ってボールを打つとき、平坦面部によるリブを小指、薬指、中指及び人差し指の４本の指の第２関節に当て、指で平坦面部によるリブを巻き込むようにして握る形態となる。
【００１５】
このバックライン部は、右ききの場合は左手側になるように設けられている。
【００１６】
これにより、指がバックラインに引っ掛かり、スウィング中にクラブが手の中で回りにくくなるという効果が得られる。また、バックラインの長さが片手とほぼ同じなので、開いて使うウェッジに入っても邪魔にならないので、スムーズにグラフを振ることができるという効果が得られる。
【００１７】
（実施例２）
図２（ａ）には本発明の実施例２における、シャフトに装着される前のゴルフクラブ用グリップ２０の軸方向に沿った断面図を、同図（ｂ）にはそのＢ−Ｂ断面図を、同図（ｃ）にはグリップ２０をシャフト２１に装着したときの断面図を、同図（ｄ）には凸部２２の形状の一例を、図３には凸部２２のその他の例をそれぞれ示している。実施例２の構成は、この凸部２２の以外に、実施例１とほぼ同じであるため、次に凸部２２について説明する。
【００１８】
この凸部２２は、例えば３つ（３〜２０個）で、前記実施例１の平坦面部１０ａの表面から内側に膨出し形成される。その寸法は、幅Ｗ２は例えば２ｍｍ〜５ｍｍ、前記平坦面部１０ａからの高さＨ２は例えば２ｍｍ〜５ｍｍ、凸部同士の間隔Ｓ２はほぼ指の幅と同じで例えば１５ｍｍ〜２５ｍｍ、一番後の凸部２２の中心とグリップ底壁との距離Ｌ２は例えば１５ｍｍ〜２５ｍｍとしても良い。また、前記した寸法は、例示したものに過ぎなく、製品又はプレーヤによって変更できることは無論である。また、バックラインとして、平坦面部が例示されたが、他の形状も良い。図２におけるバックライン部の幅は３ｍｍ〜８ｍｍが望ましい。
【００１９】
また、凸部２２の形状は特に限定されないが、図２（ｄ）には円形の凸部を、図３には長円形の凸部をそれぞれ例示している。また、凸部２２の数は特に限定されないが、３個は望ましい。
【００２０】
図２（ｃ）のように、このグリップはシャフト２１に装着された後、シャフト２１の作用により、平坦面部１０ａと凸部２２は外側に膨出し、グリップの外側表面に凹凸部を形成する。ゴルフクラブを使ってボールを打つとき、前記実施例１と同じ、平坦面部によるリブを小指、薬指、中指及び人差し指の４本の指の第２関節に当て、指で平坦面部によるリブを巻き込むようにして握る形態となる。また、凸部２２が指の幅とほぼ同じため、凸部２２による凸部は、小指と薬指、薬指と中指、中指と人差し指による隙間に差し込まれる。
【００２１】
このバックライン部は、右ききの場合は左手側になるように設けられている。
【００２２】
これにより、実施例１と同じ、開いて使うウェッジに入っても邪魔にならないという効果のほか、凸部が指と指の間の隙間に差し込まれることによって、さらにグリップを握りやすく、手の中で回りにくくなるという効果が得られる。
【００２３】
（実施例３）
図４（ａ）には本発明の実施例３における、シャフトに装着される前のゴルフクラブ用グリップ３０の軸方向に沿った断面図を、同図（ｂ）にはそのＣ−Ｃ断面図を、同図（ｃ）にはグリップ３０をシャフト３１に装着したときの断面図をそれぞれ示している。
【００２４】
実施例３の構成は、この凸状部３２の以外に、実施例１とほぼ同じであるため（バックラインの長さ、幅）、次に凸条部３２について説明する。
【００２５】
この凸条部３２は、例えば３つで、グリップの軸と直交する方向平面で、前記実施例１の平坦面部１０ａから延びて、グリップの内表面に沿って膨出し形成される。その寸法は、幅Ｗ３は例えば２ｍｍ〜５ｍｍ、グリップの内表面からの高さＨ３はほぼ前記平坦面部１０ａと同じで例えば０．５ｍｍ〜２ｍｍ、凸条部同士の間隔Ｓ３はほぼ指の幅と同じで例えば１５ｍｍ〜２５ｍｍ、一番後の凸条部３２の中心とグリップ底壁との距離Ｌ３は例えば１５ｍｍ〜２５ｍｍ、前記平坦面部１０ａから延びた角度αは例えば３０度〜６０度としても良い。また、前記した寸法は、例示したものに過ぎなく、製品又はプレーヤによって変更できることは無論である。また、バックラインとして、平坦面部が例示されたが、他の形状も良い。
【００２６】
凸条部３２の数は特に限定されないが、３つは望ましい。
【００２７】
図４（ｃ）のように、このグリップはシャフト３１に装着された後、シャフト３１の作用により、平坦面部１０ａと凸条部３２は外側に膨出し、グリップの外側表面に凹凸部を形成する。ゴルフクラブを使ってボールを打つとき、前記実施例１と同じ、平坦面部によるリブを小指、薬指、中指及び人差し指の４本の指の第２関節に当て、指で平坦面部によるリブを巻き込むようにして握る形態となる。また、凸条部３２が指の幅とほぼ同じため、凸条部３２によるリブは、小指と薬指、薬指と中指、中指と人差し指による隙間に差し込まれる。
【００２８】
このバックライン部は、右ききの場合は左手側になるように設けられている。
【００２９】
前記構成により、実施例１と同じ、開いて使うウェッジに入っても邪魔にならないという効果のほか、凸条部が指と指の間の隙間に差し込まれることによって、さらにグリップを握りやすく、手の中で回りにくくなるという効果が得られる。
【産業上利用の可能性】
【００３０】
本発明に係るゴルフクラブとグリップは、工業的に量産することが可能であるため、産業上利用の可能性を有する。
【図面の簡単な説明】
【００３１】
【図１】（ａ）は本発明の実施例１における、シャフトに装着される前のゴルフクラブ用グリップの軸方向に沿った断面図、（ｂ）はそのＡ−Ａ断面図、（ｃ）はグリップをシャフトに装着したときの断面図である。
【図２】（ａ）は本発明の実施例２における、シャフトに装着される前のゴルフクラブ用グリップの軸方向に沿った断面図、（ｂ）はそのＢ−Ｂ断面図、（ｃ）はグリップをシャフトに装着したときの断面図、（ｄ）は凸部の形状の一例である。
【図３】は凸部の形状のその他の例である。
【図４】（ａ）は本発明の実施例３における、シャフトに装着される前のゴルフクラブ用グリップの軸方向に沿った断面図、（ｂ）はそのＣ−Ｃ断面図、（ｃ）はグリップをシャフトに装着したときの断面図である。
【図５】従来のゴルフクラブ用グリップの上端面の要部平面図である。
【図６】図１のグリップの長手方向の要部断面図である。
【図７】シャフトに装着する前の市販品のゴルフクラブ用グリップの軸方向に沿った断面図である。
【図８】（ａ）は図３のＤ−Ｄ断面図、（ｂ）はこのゴルフクラブ用グリップをシャフトに装着したときの断面図である。
【図９】従来のグリップの説明図である。
【符号の説明】
【００３２】
１０，２０，３０，１００，２００  ゴルフクラブ用グリップ
１１，２１，３１，１０１，２０１  シャフト
１００ａ  凸起部
１０ａ，２００ａ  平坦面部
１０ｂ、２００ｂ  円周部
１０ｃ、２００ｃ  孔部
【図１】
2007185252.tif 000003
【図２】
2007185252.tif 000004
【図３】
2007185252.tif 000005
【図４】
2007185252.tif 000006
【図５】
2007185252.tif 000007
【図６】
2007185252.tif 000008
【図７】
2007185252.tif 000009
【図８】
2007185252.tif 000010
【図９】
2007185252.tif 000011